(57)【特許請求の範囲】
【請求項１】
研磨機の上部に取付けてある集塵ボックスと、
この集塵ボックス内部に形成されかつ仕切りによって仕切られている吸気室及び排気室とを具備しており、
上記吸気室は、上記研磨機側が研磨機本体と通じる開口部となっており、側壁側に上記研磨機本体から研磨されたパチンコ玉の排出口を設けてあり、このパチンコ玉の排出口にはこれを開閉可能であると共に上記排出口から上記パチンコ玉を排出可能であるシャッターを設けてあり、
上記排気室には吸気手段に通じる排気口を設けてあり、
上記仕切りには、上記吸気室とこの吸気室の上側に位置している上記排気室とを連結する通気孔を設けてあり、
上記シャッターは、上記パチンコ玉の排出方向と交差する幅方向に複数分割され、支持軸を回転中心として回転可能に設けられている複数の遮蔽板からなり、
上記排出口の出口部には上記遮蔽板の下端部との間に隙間があけられており、
上記通気孔は、上記研磨機の上側に配置されている複数の第１の通気孔と、上記パチンコ玉の排出口近傍に配置され、上記シャッターの幅方向に沿って長いスリット状に形成されていると共に、上記排出口の幅に対応する長さを有する第２の通気孔とからなる
ことを特徴とする研磨機の集塵装置。
【請求項２】
仕切りには、パチンコ玉の排出口に向けて下がり勾配である傾斜部を形成してあり、この傾斜部に第２の通気孔が開けられていることを特徴とする請求項１記載の研磨機の集塵装置。
【請求項３】
第１の通気孔は丸孔形状に形成されており、孔内部に複数枚のフィンを内周方向に間隔を置いて設けてあり、各フィンを孔中心に向けて突出させてあることを特徴とする請求項１又は請求項２記載の研磨機の集塵装置。
【請求項４】
吸気室には、パチンコ玉の排出口とは研磨機本体を挟んで反対側に吸気孔を設けてあることを特徴とする請求項１乃至請求項３のいずれかに記載の研磨機の集塵装置。
【発明の詳細な説明】
【０００１】
【発明の属する技術分野】
この発明は、研磨機から排出される塵埃を集塵するための研磨機の集塵装置に関するものである。
【０００２】
【従来の技術】
例えばパチンコ遊技機において用いられている研磨機では、汚れたパチンコ玉を綿布や不織布などの研磨布を用いて研磨することが知られている。この研磨布とパチンコ玉とが擦られ、この時に研磨布、例えば不織布から毛羽である繊維状の塵埃が発生し、発生した繊維状の塵埃その他の塵埃は、研磨直後に、研磨機の上部に接続されている集塵装置によって集塵処理されている。この集塵装置では、吸気ファンの吸引力によって集塵ボックス内に塵埃を含むエアを集塵気流として引き込み、やがて吸気パイプを介して集塵機へ集塵される。
【０００３】
【発明が解決しようとする課題】
従来例によると、集塵ボックスに設けてあるパチンコ玉の排出口が常に開放された状態にあり、この排出口付近の吸気量は多いものの吸気抵抗が小さく、集塵気流の速度が低下し、集塵効率が高まらない課題があった。また排出口から入る吸気流は集塵ボックス内に流入すると集塵気流となるが、排出口の底部側を移動するパチンコ玉の上方を流れるためにパチンコ玉に付着していたり、パチンコ玉の間に沈んでいる繊維状の塵埃を集塵する機能が十分発揮されない不都合があった。
この発明の目的は繊維状の塵埃その他の塵埃を効率的に集塵することにある。
【０００４】
【課題を解決するための手段】
この発明に係る集塵装置は、研磨機の上部に取付けてある集塵ボックスと、この集塵ボックス内部に形成されかつ仕切りによって仕切られている吸気室及び排気室とを具備し、上記仕切りに上記吸気室と上記排気室とを連結する通気孔を設けているものである。上記吸気室は上記研磨機側が研磨機本体と通じる開口部となっており、側壁側に上記研磨機本体から研磨されたパチンコ玉の排出口を設けてあり、このパチンコ玉の排出口にはこれを開閉可能であると共に上記排出口から上記パチンコ玉を排出可能であるシャッターを設けてある。上記排気室には吸気手段に通じる排気口を設けている。
上記シャッターは支持軸を回転中心として回転可能に設けられており、上記シャッターを分割して複数の遮蔽板でこれらの遮蔽板を回転可能に構成することにより、パチンコ玉の排出中に、排出口からの吸気流を効果的に制御することができる。
上記排出口の出口部には、上記遮蔽板の下端部との間に隙間があけられている。
上記通気孔は上記研磨機の上側に配置されている複数の第１の通気孔と上記パチンコ玉の排出口近傍に配置されている第２の通気孔とからなるものとすることにより、集塵気流の移動が円滑に行われ、さらに第２の通気孔をスリット状等孔径を狭くすることによって、パチンコ玉の排出口からの吸気抵抗を高めつつ集塵気流の速度を速めることができる。
仕切りには、パチンコ玉の排出口に向けて下がり勾配である傾斜部を形成することにより、排気室への集塵気流の移動が促進される。
【０００５】
【作用】
吸気手段の吸引力によってパチンコ玉の排出口から外気が吸引され、吸気流となってパチンコ玉に付着されている繊維状の塵埃を吸引してまたは吸気室に沈んでいる比較的重い繊維状の塵埃を吸上げ、吸気流は集塵気流となって吸気室の通気孔を経て排気室へ流れて排気口から排出される。排出口を開閉するシャッターの存在により、吸気流の吸気抵抗が高められて集塵気流の速度が増して集塵効率が向上する。
【０００６】
【発明の実施の形態】
この発明の実施の形態について図面を参照し説明する。
図１乃至図３において、この発明に係る集塵装置は集塵ボックス１と、この集塵ボックス内に形成されている吸気室２と排気室３とを具備しており、吸気室２と排気室３とは仕切り４によって仕切られている。
集塵ボックス１は研磨機Ｋの上部に取付けられており、研磨機本体Ｋａによって研磨されるパチンコ玉と共に研磨機本体から排出されてくる繊維状の塵埃を含んでいる塵埃を受入れるものである。
集塵ボックス１内において、図１下側に配置されている吸気室２は下部側である研磨機Ｋ側が開口部５となっており、この開口部は研磨機本体Ｋａと通じている。このように、吸気室２は開口部５を介して研磨機Ｋ内の上部と連続している。吸気室２の図１右側の側壁にはパチンコ玉の排出口６が形成されている。排出口６からは研磨機本体Ｋａで研磨されたパチンコ玉が補給樋（図示せず。）へ向けて流出する。パチンコ玉の排出口６は、その出口部にこれを開閉可能なシャッター７を取付けてある。シャッター７は図示の例では複数の遮蔽板７ａで構成されている（図３）。遮蔽板７ａは上部の支持軸８を回転中心として排出口６を開閉できるようになっている。排出口６の出口部には、遮蔽板７ａのその下端部との間に隙間６ａがあけられている。シャッター７はパチンコ玉の排出口６を閉じた状態でも図１に示すようにパチンコ玉Ｐを排出可能であり、また図４に示すように排出口の出口部でのパチンコ玉Ｐの量が多い状態ではパチンコ玉Ｐが重なりあうために、各遮蔽板７ａがパチンコ玉Ｐに押されて開く状態となり、出口部からパチンコ玉を排出できる。排出口６の出口部からは集塵ボックス１外から外気は吸気流となって集塵ボックス内へ流入可能である。排出口６にパチンコ玉Ｐが流出しない場合には、外気は隙間６ａから流入し、流出している場合には遮蔽板７ａ間、遮蔽板とパチンコ玉Ｐとの間またはパチンコ玉とパチンコ玉の間から流入可能である。
また吸気室２には、パチンコ玉の排出口６とは研磨機本体Ｋａを挟んで反対側（図１左側）に吸気孔９を設けてある。吸気孔９からは集塵ボックス１外からの外気が吸気流となって集塵ボックス内へ流入可能である。
図１に示すように吸気室２と排気室３との間における仕切り４には、両室を連通するための通気孔（図１では第１の通気孔１０及び第２の通気孔１１）を設けてある。第１の通気孔１０は研磨機本体Ｋａの上方に複数（図２では２）設けられている。第１の通気孔１０は丸孔状に形成され、孔内部にフィン１２が複数枚内周方向に間隔をおいて設けられている。各フィン１２は第１の通気孔１０の孔中心に向けて突出されており、孔内を細分化して集塵気流の吸気速度を増す役割を果たしている。第２の通気孔はスリット状に形成されており（図２）、パチンコ玉の排出口６の近傍に設けられている。仕切り４は、図１右側が排出口６側に向けて下がり勾配の傾斜部４ａとなって、第２の通気孔１１から吸気される集塵気流の上昇を円滑するようにしている。
排気室３には排気口である排気管１３を設けてある。排気管１３は吸気ファンなどからなる吸気手段１４（図２）に通じている。１３ａは排気管１３の端部である。吸気手段１４の吸引力によって排気室３に流入した集塵気流は排気管１３から集塵ボックス１外へ流出する。
【０００７】
次に作用について説明する。
集塵ボックス１内には、開口部５を通じて研磨機本体Ｋａによって研磨されたパチンコ玉と共に繊維状の塵埃が他の塵埃と一緒に運ばれてくる。
図１に示すように、パチンコ玉Ｐが排出口６を流れて、シャッター７によって排出口６の出口部が閉じられている場合には、吸気手段１４の吸引力によって、集塵ボックス１外から外気は排出口６に吸い込まれ、吸気流となって吸気室２に入って集塵気流Ａ１，Ａ２として作用する。一方の集塵気流Ａ１は第１の通気孔１０を経て排気室３に至り、他方の集塵気流Ａ２は第２の通気孔１１を経て排気室３に至り、この排気室で集塵気流Ａ１，Ａ２及び後述する集塵気流Ａ３と合流して排気管１３へ流出する。また吸気孔９から吸気室２に入った吸気流は集塵気流Ａ３となって吸気室２から第１の通気孔１０を経て排気室３を通過して集塵気流Ａ１，Ａ２と共に排気管１３へ流出される。
上記のような場合であっても、排出口６の出口部がシャッター７によって閉じられた状態にあるものの遮蔽板７ａが回転可能であるためにパチンコ玉Ｐは排出可能である。そしてこの状態において、吸気量が少なくなる反面、排出口６における吸気抵抗が高まるので、排出口６を通過する集塵気流Ａ１，Ａ２は風速を増し、しかも速い速度で排出されるパチンコ玉Ｐに向かって流れることにより、パチンコ玉に付着した繊維状の塵埃を上方に吸引するため、集塵効率が向上する。
さらに第２の通気孔１１は排出口６の近傍に位置し、孔径が狭くスリット状に形成されているので、第２の通気孔を通過する集塵気流Ａ２の風速が速められ、比較的重い繊維状の塵埃を吸い上げかつ傾斜部４ａに沿って排気管１３に向けて上昇が促進されるので、集塵効率が一層高められる。
図１に示すように、パチンコ玉Ｐの玉量が少ない状態では、排出口６の出口部ではパチンコ玉が重ならないので、シャッター７が閉じている状態でも、パチンコ玉の排出は可能である。
またパチンコ玉Ｐの排出量が多い場合には、図４に示すように、パチンコ玉Ｐは排出口６の出口部付近で重なるために、遮蔽板７ａがパチンコ玉によって図４右方に押されるためにシャッター７が開いた状態でパチンコ玉が排出される。このため、排出口６付近の集塵気流Ａ１，Ａ２は、吸気抵抗の減少は避けられないが、風量を増すことができ、そして排出されるパチンコ玉Ｐの近くを流れることにより、パチンコ玉に付着した繊維状の塵埃を剥ぎ取ることができ、集塵効率が向上する。この場合も、排出口６の近傍に位置しているスリット状の第２の通気孔１１の存在によって、集塵気流Ａ２の風速が速められて比較的重い繊維状の塵埃を吸い上げかつ傾斜部４ａに沿って排気管１３に向けて上昇が促進されるので、集塵効率が一層高められる。
【０００８】
図示する例において、シャッター７はこれを分割して複数の遮蔽板７ａで構成され、パチンコ玉の排出量に応じて開閉でき、一部でパチンコ玉が重なっている場合でも、必要以外の遮蔽板７ａは開放されず、吸気流を効果的に制御している。
【０００９】
【発明の効果】
この発明によれば、パチンコ玉の排出口にこれを開閉するシャッターを設けて集塵ボックス内へ入る吸気抵抗を高めて集塵気流の速度を増すことができるので、集塵効率の向上を図ることができる。
【図面の簡単な説明】
【図１】図２のＩ−Ｉ線断面図である。
【図２】この発明の集塵装置の平面図である。
【図３】図２の右側面図である。
【図４】パチンコ玉量が多い状態を示す断面図である。
【符号の説明】
１        集塵ボックス
２        吸気室
３        排気室
４        仕切り
５        開口部
６        パチンコ玉の排出口
６ａ 隙間
７        シャッター
７ａ      遮蔽板
８        支持軸
９        吸気孔
１０      第１の通気孔（通気孔）
１１      第２の通気孔（通気孔）
１３      排気管（排気口）
１４      吸気手段
【図１】
0004576044.tif 000002
【図２】
0004576044.tif 000003
【図３】
0004576044.tif 000004
【図４】
0004576044.tif 000005